(57)【特許請求の範囲】
【請求項１】
支柱間などに展張される繊維ネットにおいて、
網糸で編網される基本部分と、
前記基本部分と異なる態様に構成された識別部分とを備え、
前記識別部分は、前記基本部分の網目に少なくとも１本の網糸を挿入することで、前記基本部分と異なる大きさの網目で編網され、その基本部分と異なる大きさの網目に構成されると共に、一の方向へ等間隔に配設されていることを特徴とする繊維ネット。
【請求項２】
支柱間などに展張される繊維ネットにおいて、
網糸で編網される基本部分と、
前記基本部分と異なる態様に構成された識別部分とを備え、
前記識別部分は、前記基本部分の網目に少なくとも１本の網糸を挿入することで、前記基本部分と異なる形状の網目で編網され、その基本部分と異なる形状の網目に構成されると共に、一の方向へ等間隔に配設されていることを特徴とする繊維ネット。
【請求項３】
前記識別部分は、前記一の方向と略直交する他の方向へ第２の等間隔に配設されていることを特徴とする請求項１又は２に記載の繊維ネット。
【請求項４】
前記基本部分および識別部分と異なる態様に構成された第２識別部分を備え、
その第２識別部分は、前記一の方向または他の方向の少なくとも一方へ前記識別部分よりも大きな第３の等間隔に配設されていることを特徴とする請求項１から３のいずれかに記載の繊維ネット。
【請求項５】
前記識別部分または第２識別部分は、前記基本部分の網糸と異なる色の網糸で編網され、その基本部分と色分けされた異なる態様に構成されていることを特徴とする請求項１から４のいずれかに記載の繊維ネット。
【請求項６】
前記識別部分または第２識別部分は、前記基本部分の網糸と異なる太さの網糸で編網され、その基本部分と異なる態様に構成されていることを特徴とする請求項１から５のいずれかに記載の繊維ネット。
【請求項７】
前記識別部分または第２識別部分は、前記基本部分の網糸と異なる本数の網糸で編網され、その基本部分と異なる態様に構成されていることを特徴とする請求項１から６のいずれかに記載の繊維ネット。
【発明の詳細な説明】
【０００１】
【発明の属する技術分野】
本発明は、繊維ネットに関し、特に、支柱間などへ最適な張り具合で展張することができる繊維ネットに関するものである。
【０００２】
【従来の技術】
繊維ネットは、一般に、金網と比較してコストが安く、耐候性にも優れる。更に、軽量かつ柔軟であるため取り扱いが容易であるという特徴を有する。その為、繊維ネットは、支柱間に展張されて、例えば、鹿などの野生動物の侵入を防止する為の侵入防止柵として使用されたり、或いは、防球フェンス、防風フェンス等としても使用されている。この繊維ネットは、使用される網糸の材質や太さ、網目の大きさや形状等から最適な張り具合を規定して設計されている。
【０００３】
【発明が解決しようとする課題】
しかしながら、繊維ネットは、柔軟であるが故に自立性（保形性）が悪く、引っ張られた方向へ伸長してしまう。そのため、通常の作業者には最適な張り具合で繊維ネットを展張することが困難である。不適切な張り具合で繊維ネットが展張された場合には、その繊維ネットが本来有する性能を充分に発揮することができないという問題点があった。即ち、繊維ネットの張り具合が張り過ぎ（引っ張り過ぎ）である場合には、繊維ネットの網糸に張力がかかり、例えば、野生動物に噛み切られ易くなったり、衝撃吸収能力の低下を招いてしまう。また、繊維ネットの張り具合が緩みすぎている場合には、支柱間へ展張される繊維ネットの長さが長くなり、材料コストの上昇を招いてしまう。
【０００４】
本発明は、上述した問題点を解決するためになされたものであり、支柱間などへ最適な張り具合で展張することができる繊維ネットを提供することを目的としている。
【０００５】
【課題を解決するための手段】
この目的を達成するために、請求項１記載の繊維ネットは、支柱間などに展張されるものであり、網糸で編網される基本部分と、前記基本部分と異なる態様に構成された識別部分とを備え、前記識別部分は、前記基本部分の網目に少なくとも１本の網糸を挿入することで、前記基本部分と異なる大きさの網目で編網され、その基本部分と異なる大きさの網目に構成されると共に、一の方向へ等間隔に配設されている。
請求項２記載の繊維ネットは、支柱間などに展張されるものでであり、網糸で編網される基本部分と、前記基本部分と異なる態様に構成された識別部分とを備え、前記識別部分は、前記基本部分の網目に少なくとも１本の網糸を挿入することで、前記基本部分と異なる形状の網目で編網され、その基本部分と異なる形状の網目に構成されると共に、一の方向へ等間隔に配設されている。
【０００６】
請求項３記載の繊維ネットは、請求項１又は２に記載の繊維ネットにおいて、前記識別部分は、前記一の方向と略直交する他の方向へ第２の等間隔に配設されている。
【０００７】
請求項４記載の繊維ネットは、請求項１から３のいずれかに記載の繊維ネットにおいて、前記基本部分および識別部分と異なる態様に構成された第２識別部分を備え、その第２識別部分は、前記一の方向または他の方向の少なくとも一方へ前記識別部分よりも大きな第３の等間隔に配設されている。
【０００８】
請求項５記載の繊維ネットは、請求項１から４のいずれかに記載の繊維ネットにおいて、前記識別部分または第２識別部分は、前記基本部分の網糸と異なる色の網糸で編網され、その基本部分と色分けされた異なる態様に構成されている。
【０００９】
請求項６記載の繊維ネットは、請求項１から５のいずれかに記載の繊維ネットにおいて、前記識別部分または第２識別部分は、前記基本部分の網糸と異なる太さの網糸で編網され、その基本部分と異なる態様に構成されている。
【００１０】
請求項７記載の繊維ネットは、請求項１から６のいずれかに記載の繊維ネットにおいて、前記識別部分または第２識別部分は、前記基本部分の網糸と異なる本数の網糸で編網され、その基本部分と異なる態様に構成されている。
【００１１】
【００１２】
【００１３】
【発明の実施の形態】
以下、本発明の好ましい実施例について、添付図面を参照して説明する。図１は、本発明の第１実施例における繊維ネット２が展張された侵入防止柵１の正面図である。なお、図１では、侵入防止柵１の一部を省略して図示すると共に、実線および破線を使用して網目を図示することにより繊維ネット２（基本色部分４および識別色部分５）の着色を区別している。
【００１４】
まず、図１を参照して侵入防止柵１に展張される繊維ネット２の全体構成について説明する。繊維ネット２は、農耕地や森林などに複数立設される支柱３間へ展張され、鹿などの野生動物の侵入を防止する侵入防止柵１として使用されるものであり、ポリエチレン等の合成繊維を使用して編網されている。その繊維ネット２は、例えば、幅（図１の上下方向寸法）２ｍに対して長さ（図１の左右方向寸法）５０ｍといった長尺物であり、その長さ方向（図１の左右方向寸法）へ交互に色分けして配設される基本色部分４と識別色部分５とを備えている。
【００１５】
基本色部分４は緑色（基本色）の網糸を使用して編網される部位であり、一方、識別色部分５は、その基本色部分４と視覚的に識別できるように、オレンジ色（識別色）の網糸を使用して編網される部位である。これら基本色部分４と識別色部分５とは、図１に示すように、繊維ネット２の長さ方向（図１の左右方向）へ交互に配設されている。
【００１６】
基本色部分４と識別色部分５とは、上記したように使用する網糸の色がそれぞれ異なる以外は、図１に示すように、同じ形状（略菱形状）の網目に編網され、その網目の大きさは同じ大きさとされている。なお、網目の大きさは、一辺が略２５〜３００ｍｍの大きさとされている。
【００１７】
繊維ネット２の長さ方向（図１の左右方向）に配設される網目の数は、基本色部分４および識別色部分５共に４０目（但し、図１における網目の数は、省略して模式的に図示されている。）とされている。その結果、色分けされた基本色部分４と識別色部分５とは、繊維ネット２の長さ方向（図１の左右方向）へ略等間隔Ｌに交互に配設される。よって、繊維ネット２を展張する場合には、その識別色部分５（或いは、基本色部分４）を目印として展張することができるのである。なお、間隔Ｌは繊維ネット２の張り具合により伸縮するが、第１実施例における繊維ネット２は、間隔Ｌが略２ｍに調整された場合に最適な張り具合となるよう設計されている。繊維ネット２の展張作業の詳細については後述する。
【００１８】
繊維ネット２を構成する網糸の材質としては、ポリエチレン、ポリプロピレン、ポリアミド、ポリエステル、アラミド、ナイロン、ビニロン等の合成繊維を使用することが望ましい。侵入防止柵１は環境条件が厳しい野外で長期にわたり使用されるため、本実施例の繊維ネット２では、耐酸性、耐アルカリ性、耐腐食性等の耐候性に優れており、しかも軽量なポリエチレンが使用されている。しかし、ポリエチレンに代えて、他の合成繊維を繊維ネット２の材質として使用しても良い。また、２種以上の合成繊維を混合して、繊維ネット２の材質としても良い。更に、繊維ネット２の強度を向上させるために、ステンレス鋼などの金属線、炭素繊維またはスーパー繊維などを上記の合成繊維と合糸して使用しても良い。
【００１９】
次に、繊維ネット２を使用した侵入防止柵１、及び、その設置方法について説明する。侵入防止柵１は、農耕地や森林などへ鹿などの野生動物が侵入することを防止するためのものであり、主に、上記した繊維ネット２、支柱３、及び、結束部材７等から構成されている。
【００２０】
支柱３は、上記した繊維ネット２を展張するために地中に立設される部材であり、本実施例における支柱３には、耐食性に優れた亜鉛メッキ処理鋼管が使用されている。その鋼管の断面は中空でも中実でも良く、また、支柱３は断面くの字状の板状鋼材でも良い。更に、支柱３の材質は、鋼材に限らず、アルミやＦＲＰ、木材等であっても良い。
【００２１】
結束部材７は、支柱３へ展張された繊維ネット２を固定するための部材であり、ナイロン等の紐が使用される。但し、鉄やステンレス等からなる金属製の針金、ゴム材料等の弾性部材からなるゴムバンド、或いは、プラスチック等の樹脂材料からなるプラスチックバンド等を使用しても良い。
【００２２】
次に、侵入防止柵１の設置方法について説明する。まず、図１に示すように、侵入を防止する境界に沿って複数の支柱３を地中に貫入して立設する。各支柱３間の隣接間隔は、繊維ネット２の仕様に応じて決定される。なお、本実施例における支柱３は、略２ｍで等間隔に立設されている。そして、各支柱３が立設された後は、その各支柱３間へ繊維ネット２を展張する。
【００２３】
ここで、繊維ネット２は、網糸の材質や太さ、網目の大きさや形状等から最適な張り具合が規定されており、その規定値通りの最適な張り具合で各支柱３間へ展張する必要がある。しかし、繊維ネット２は、引っ張られた方向へ伸長してしまうため、どの程度の張り具合で繊維ネット２を各支柱３間へ展張すれば良いのかを判断することが困難である。そこで、色分けされた基本色部分４と識別色部分５とを目印とすることにより、繊維ネット２を最適な張り具合に展張することができる。
【００２４】
即ち、繊維ネット２を各支柱３間へ展張するには、まず、繊維ネット２の識別色部分５と基本色部分４との境界部である基準部Ｘ１を第１の支柱３（図１の左端）へ位置決めし、かかる基準部Ｘ１の上端部（図１上側）及び下端部（図１下側）を結束部材７により結束する。
【００２５】
そして、第１の支柱３（図１の左端）に結束された繊維ネット２を隣接する第２の支柱３（図１の左から２本目）へ展張する。この場合には、基準部Ｘ２（基本色部分４と識別色部分５との境界部）を第２の支柱３（図１の左から２本目）へ位置決めし、かかる基準部Ｘ２の上端部（図１上側）及び下端部（図１下側）を結束部材７により結束する。その結果、基本色部分４の幅（間隔Ｌ、即ち、基準部Ｘ１と基準部Ｘ２との間の間隔）が略２ｍに調整され、繊維ネット２は、引っ張られ過ぎたり、或いは、緩み過ぎたりすることなく、最適な張り具合で支柱３間に展張される。
【００２６】
第１，第２の支柱３間に繊維ネット２を展張した後は、同様に、第３の支柱３（図１の左から３本目）へ繊維ネット２の基準部Ｘ３を位置決めし、結束部材７により繊維ネット２を結束する。この作業を順次繰り返すことにより、繊維ネット２が最適な張り具合で各支柱３間に展張された侵入防止柵１を設置することができるのである。
【００２７】
このように、繊維ネット２は、基本色部分４と識別色部分５とが色分けされて構成されている。よって、繊維ネット２を展張する作業者は、基準部Ｘ１（Ｘ２，Ｘ３，・・・）の配設位置を視覚的に一目で把握することができ、その基準部Ｘ１（Ｘ２，Ｘ３，・・・）を各支柱３へ容易に位置決めすることができるので、繊維ネット２の展張作業の作業効率が向上するのである。
【００２８】
また、繊維ネット２は、基本色部分４と識別色部分５とが等間隔に配設されているので、熟練していない作業者であっても、基準部Ｘ１（Ｘ２，Ｘ３，・・・）を目印として各支柱３へ順次位置決めしていくことにより、繊維ネット２を最適な張り具合に展張することができる。その結果、展張された繊維ネット２は、引っ張られ過ぎたり、或いは、緩み過ぎたりすることなく展張され、仕様値（設計値）通りの特性を確実に発揮することができるのである。
【００２９】
次に、図２を参照して第２実施例について説明する。第１実施例の繊維ネット２がその長さ方向への張り具合を調整可能に構成されていたのに対し、第２実施例の繊維ネット１２は、基本色部分１４と識別色部分１５とを縦横方向へ格子状に配設して、その縦横方向への張り具合を調整可能に構成されている。なお、前記した第１実施例と同一の部分には同一の符号を付して、その説明は省略する。
【００３０】
図２は、本発明の第２実施例における繊維ネット１２が展張された防球フェンス１１の正面図である。なお、図２では、防球フェンス１１の一部を省略して図示すると共に、網目を図示する線の太さを変更することにより繊維ネット１２（基本色部分１４および識別色部分１５）の着色を区別している。
【００３１】
まず、図２を参照して防球フェンス１１に展張される繊維ネット１２の全体構成について説明する。繊維ネット１２は、例えば、野球場などのグランド外縁に立設される枠部材１３に展張され、そのグランドからボールが外部に飛び出すことを防止する防球フェンス１１として使用されるものである。その繊維ネット１２は、第１実施例と同様に、ポリエチレン等の合成繊維を使用して編網されており、例えば、高さ（図２の上下方向寸法）１２ｍに対して幅（図２の左右方向寸法）３０ｍといった大型のものである。繊維ネット１２は、基本色部分１４とその基本色部分１４に対して縦横方向（図２の上下左右方向）へ格子状に色分けして配設される識別色部分１５とを備えている。
【００３２】
識別色部分１５は、繊維ネット１２を展張する際の目印とされる部分である。この識別色部分１５と基本色部分１４とは、使用する網糸の色がそれぞれ異なる（緑色およびオレンジ色）以外は同じ形状（略菱形状）の網目に編網されており、その網目の大きさは同じ大きさとされている。なお、繊維ネット１２（基本色部分１４および識別色部分１５）の網目の大きさは、一辺が略１０〜１００ｍｍの大きさとされている。
【００３３】
基本色部分１４と識別色部分１５とが繊維ネット１２の縦方向（図２の上下方向）及び横方向（図２の上下方向）へ配設される網目の数は、縦方向および横方向共に、基本色部分１４が４０目（但し、図２における網目の数は、省略して模式的に図示されている。）配設される毎に、識別色部分１５が１目配設されている。その結果、識別色部分１５は、繊維ネット１２の縦方向（図２の上下方向）へ略等間隔Ｍで配設されると共に横方向（図２の左右方向）へ略等間隔Ｎで配設されている。よって、繊維ネット１２を展張する場合には、その識別色部分１５を目印として展張することができるのである。なお、間隔Ｍ，Ｎは繊維ネット１２の張り具合により伸縮するが、第２実施例における繊維ネット１２は、間隔Ｍが略３ｍ、間隔Ｎが略２ｍに調整された場合に最適な張り具合となるよう設計されている。また、繊維ネット２の展張作業の詳細については後述する。
【００３４】
次に、繊維ネット１２を使用した防球フェンス１１、及び、その設置方法について説明する。防球フェンス１１は、野球場などのグランド外縁に設置されボールが外部に飛び出すことを防止するためのものであり、主に、上記した繊維ネット１２、枠部材１３、及び、結束部材７等から構成されている。
【００３５】
枠部材１３は、上記した繊維ネット１２を展張するために略矩形に組み立てられて立設される部材であり、結束部材７は、枠部材１３へ展張された繊維ネット１２を固定するための部材である。これらの構成は、第１実施例と同様の為、詳細については省略する。
【００３６】
次に、防球フェンス１１の設置方法について説明する。まず、枠部材１３を略矩形状に組み立て、その組み立てられた枠部材１３をボールの飛び出しを防止する領域に立設する。そして、その枠部材１３へ繊維ネット１２を展張する。但し、枠部材１３は、繊維ネット１２を展張した後に立設しても良い。
【００３７】
繊維ネット１２を枠部材１３へ展張するには、まず、繊維ネット１２の一端を枠部材１３の角部（図２の左上側）へ結束部材７により結束する。そして、繊維ネット１２の一の辺部（図２の上側）を枠部材１３の角部から横方向（図２の右方向）へ向かって結束部材７により順次結束し、他の辺部（図２の左側）を枠部材１３の角部から縦方向（図２の下方向）へ向かって結束部材７により順次結束する。また、繊維ネット１２の残りの辺部（図２の右側、必要に応じて下側）も同様に結束する。
【００３８】
この場合、横方向（図２の右方向）へは、各識別色部分１５（以下、横方向へ配設される各識別色部分１５を基準部Ｙ１，Ｙ２，・・・と称す。）を目印にして、かかる基準部Ｙ１，Ｙ２，・・・を略２ｍ間隔に調整しつつ枠部材１３へ順次結束する。同様に、縦方向（図２の下方向）へは、各識別部材１５（以下、縦方向へ配設される各識別色部分１５を基準部Ｚ１，Ｚ２，・・・と称す。）を目印にして、かかる基準部Ｚ１，Ｚ２，・・・を略３ｍ間隔に調整しつつ枠部材１３へ順次結束する。その結果、繊維ネット１２は、識別色部分の間隔Ｍ，Ｎが横方向に略２ｍ、縦方向に略３ｍとなり、引っ張られ過ぎたり、或いは、緩み過ぎたりすることなく、最適な張り具合で枠部材１３に展張されるのである。
【００３９】
このように、第２実施例における繊維ネット１２は、基本色部分１４と識別色部分１５とが縦横方向へ等間隔に配設されているので、熟練していない作業者であっても、識別色部分１５（基準部Ｙ１，Ｙ２，・・・、及び、基準部Ｚ１，Ｚ２，・・・）を所定間隔に調整しつつ枠部材１３へ結束することにより、横方向だけでなく縦方向へも張り具合を調整する必要のある繊維ネット１２を最適な張り具合に展張することができる。その結果、展張された繊維ネット１２は、引っ張られ過ぎたり、或いは、緩み過ぎたりすることなく展張され、仕様値（設計値）通りの特性を確実に発揮することができるのである。
【００４０】
次に、図３を参照して第３実施例について説明する。第１実施例の繊維ネット２が色分けされた基本色部分４と識別色部分５とを交互に配設して構成されていたのに対し、第３実施例の繊維ネット２２は、異なる網目の大きさに編網される識別網目部分２５及び第２識別網目部２６を所定間隔毎に配設して構成されている。なお、前記した第１実施例と同一の部分には同一の符号を付して、その説明は省略する。
【００４１】
図３（ａ）は、本発明の第３実施例における繊維ネット２２が展張された侵入防止柵２１の正面図であり、図３（ｂ）は、領域ｂにおける繊維ネット２２の部分拡大図であり、図３（ｃ）は、領域ｃにおける繊維ネット２２の部分拡大図である。なお、図３（ａ）では侵入防止柵２１の一部を省略して、図３（ｂ），（ｃ）では繊維ネット２２の後方に配設される支柱３を省略して図示している。
【００４２】
まず、図３を参照して第３実施例における繊維ネット２２の全体構成について説明する。繊維ネット２２は、第１実施例と同様に、ポリエチレン等の合成繊維を使用して編網されており、基本網目部分２４、識別網目部分２５および第２識別網目部分２６を備えている。
【００４３】
基本網目部分２４は、図３（ａ）〜（ｃ）に示すように、略菱形状の網目に編網される部位であり、繊維ネット２２のほぼ全域にわたって配設されている。識別網目部分２５と第２識別網目部分２６とは、繊維ネット２２の張り具合を調整する際に目印とされる部位であり、基本網目部分２４と識別するために網目の大きさを細かくして編網されている。また、識別網目部分２５と第２識別網目部分２６とは、基本網目部分２４に使用される網糸と同色の網糸により編網されている。これら各部分２４〜２６の網目の形状について詳細に説明する。
【００４４】
基本網目部分２４を構成する網目は、相互に交差する４本の網糸から略菱形状に編網されている。一方、識別網目部分２５を構成する網目は、図３（ｂ）に示すように、略菱形状に形成される網目の水平方向（図３（ｂ）の左右方向）へ１本の網糸を挿入して編網されている。その結果、識別網目部分２５の網目は、相互に交差する３本の網糸から略三角形状に編網され、基本網目部分２４および第２識別網目部分２６の網目と識別可能に構成されている。よって、識別網目部分２５は、繊維ネット２２を展張する際の目印とすることができるのである。
【００４５】
また、第２識別網目部分２６を構成する網目は、図３（ｃ）に示すように、略菱形状に形成される網目へ交差する２本の網糸を挿入して編網されている。その結果、第２識別網目部分２６の網目は、基本網目部分２４よりも小さい面積（略１／４）の略菱形状に編網され、基本網目部分２４及び識別網目部分２５の網目と識別可能に構成されている。よって、第２識別網目部分２６は、繊維ネット２２を展張する際の目印とすることができるのである。
【００４６】
繊維ネット２２の長さ方向（図３（ａ）の左右方向）に配設される網目の数は、基本網目部分２４の網目が２０目（但し、図３（ａ）における網目の数は、省略して模式的に図示されている。）配設される毎に、識別網目部分２５または第２識別網目部分２６の網目が１目配設されている。その結果、識別網目部分２５または第２識別網目部分２６は、繊維ネット２２の長さ方向（図３（ａ）の左右方向）へ略等間隔Ｐで配設される。よって、繊維ネット２２を展張する場合には、その識別網目部分２５または第２識別網目部分２６を目印として展張することができるのである。なお、間隔Ｐは繊維ネット２２の張り具合により伸縮するが、第３実施例における繊維ネット２は、間隔Ｐが略２ｍに調整された場合に最適な張り具合となるよう設計されている。繊維ネット２の展張作業の詳細については後述する。
【００４７】
第２識別網目部分２６は、識別網目部分２５が４つ配設される毎に１つ配設される。よって、各第２識別網目部分２６間の間隔は、５Ｐ、即ち略１０ｍ間隔とされている。
【００４８】
次に、繊維ネット２２を使用した侵入防止柵１１の設置方法について説明する。まず、第１実施例と同様に、侵入を防止する境界に沿って複数の支柱３を略２ｍ間隔で地中に貫入して立設し、その各支柱３間へ繊維ネット２２を展張する。即ち、図３（ａ）に示すように、繊維ネット２２の識別網目部分２５を目印として第１の支柱３（図３（ａ）の左端）へ位置決めし、かかる識別網目部分２５の上端部（図３（ａ）上側）及び下端部（図３（ａ）下側）を結束部材７を使用して結束する。
【００４９】
そして、第１の支柱３（図３（ａ）の左端）に結束された繊維ネット２２を隣接する第２の支柱３（図３（ａ）の左から２本目）へ展張する。この場合には、識別網目部分２５を目印として第２の支柱３（図３（ａ）の左から２本目）へ位置決めし、かかる識別網目部分２５の上端部（図３（ａ）上側）及び下端部（図３（ａ）下側）を結束部材７を使用して結束する。その結果、識別網目部分２５間の間隔（間隔Ｐ）が略２ｍに調整され、繊維ネット２２は、引っ張られ過ぎたり、或いは、緩み過ぎたりすることなく、最適な張り具合で支柱３間に展張される。
【００５０】
第１，第２の支柱３間に繊維ネット２２を展張した後は、同様に、第３の支柱３（図１の左から３本目）へ繊維ネット２２の識別網目部分２５を目印として位置決めし、結束部材７により繊維ネット２２を結束する。この作業を順次繰り返すことにより、繊維ネット２２が最適な張り具合で各支柱３間に展張される。
【００５１】
ここで、支柱３は略２ｍ間隔に立設された。しかし、侵入防止柵２１の施工距離は、数キロ〜数十キロに及ぶ場合もある。そのため、所定の区間では支柱３の立設間隔を、例えば、略４ｍ間隔、また別の区間では略１０ｍ間隔等として侵入防止柵２１の施工コストを低減しても良い。その場合には、目印とする識別網目部分２５または第２識別網目部分２６を適宜変更する。即ち、支柱３が略４ｍ間隔で立設される区間では、識別網目部分２５または第２識別網目部分２６を１つ置きに支柱３に結束する。その結果、その支柱３間に展張される繊維ネット２２の長さが略４ｍに調整され、繊維ネット２２が最適な張り具合で各支柱３間に展張される。
【００５２】
また、支柱３が略１０ｍ間隔で立設される区間では、第２識別網目部分２６を目印として支柱３に結束することができる。第２識別網目部分２６は、上記したように、間隔５Ｐ（＝略１０ｍ）毎に繊維ネット２２に配設されているので、かかる第２識別網目部分２６を目印として支柱３へ位置決めすることにより、その支柱３間に展張される繊維ネット２２の長さを略１０ｍに調整することができる。よって、繊維ネット２２を最適な張り具合で各支柱３間に展張することができる。
【００５３】
このように、繊維ネット２２は、基本網目部分２４、識別網目部分２５及び第２識別網目部分２６を異なる大きさの網目に編網することにより各部分２４〜２６を識別可能に構成されている。そのため、繊維ネット２２全体（各部分２４〜２６）を同色の網糸で編網することができるので、繊維ネット２２の外観が損なわれることを防止することができるのである。
【００５４】
また、繊維ネット２２は、識別網目部分２５及び第２識別網目部分２６とが所定の間隔を有して配設されている。よって、熟練していない作業者であっても、識別網目部分２５または第２識別網目部分２６を目印として各支柱３へ順次位置決めしていくことにより、繊維ネット２２を最適な張り具合に展張することができる。その結果、展張された繊維ネット２２は、引っ張られ過ぎたり、或いは、緩み過ぎたりすることなく展張され、仕様値（設計値）通りの特性を確実に発揮することができるのである。
【００５５】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００５６】
例えば、第１，第２実施例では、基本色部分４，１４と識別色部分５，１５とに使用される網糸の色が緑色（基本色）およびオレンジ色（識別色）の場合を説明したが、少なくとも基本色部分４，１４と識別色部分５，１５とを色彩により識別することができれば良く、網糸には、例えば、赤色、黒色あるいは黄色等、何色を使用しても良い。かかる網糸は、異なる色の糸を合糸したものであっても良い。例えば、白色と緑色の糸を合糸した網糸（基本色）と白色とオレンジ色の糸を合糸した網糸（識別色）とにより基本色部分４，１４と識別色部分５，１５とを識別可能に構成しても良い。或いは、緑色の網糸（基本色）と緑色とオレンジ色の糸を合糸した網糸（識別色）とにより基本色部分４，１４と識別色部分５，１５とを識別可能に構成しても良い。
【００５７】
繊維ネット２，２２全体を、例えば、緑色の網糸により編網しておき、その後、識別色部分５，１５に相当する領域へオレンジ色の糸等を網糸へ巻回したり、接着固定することにより、基本色部分４，１４と識別色部分５，１５とを識別可能に構成しても良い。その結果、繊維ネット２，２２の製造が容易となり、製造コストを低減することができる。
【００５８】
また、上記各実施例では、繊維ネット２，１２，２２が侵入防止柵１，１２または防球フェンス１１に使用される場合を説明したが、他の用途に適用しても良い。一例としては、鳩やカラスなどの侵入を防止する為の防鳥ネット、弓道場等に設けられる防矢ネット、風をさえぎる為の防風フェンス、或いは、海水浴場等に設置される遮光ネット等に適用することができる。
【００５９】
また、上記各実施例では、繊維ネット２，１２，２２の網目が略菱形状に形成される場合を説明したが、その網目の形状は、矩形状、亀甲形等に形成されていても良い。また、繊維ネット２，１２，２２は、ラッセル網に編網されたものが好ましいが、無結節網、有結節網に編網されたものであっても良い。
【００６０】
また、第１、第２実施例では、使用する網糸の色を変更することにより繊維ネット２，１２（基本色部分４，１４および識別色部分５，１５）を色分けする場合を説明し、第３実施例では、網目の大きさを変更することにより繊維ネット２２の所定部分を識別する場合を説明した。基本部分と識別部分との識別は、これら網糸の色または網目の大きさに限られず、網糸の太さや各網糸を構成する糸の本数、または、網目の形状等により、或いは、これらの組み合わせにより、基本部分と識別部分とを異なる態様に構成し識別できるようにしても良い。例えば、第３実施例において、識別網目部分２５は、網目を細かく編網することにより他の部分と識別されたが、更に、使用する網糸の色も他の部分と色分けして構成されていても良い。また、上記各実施例において、基本色部分４，１４および識別色部分５，１５とは異なる色（第２識別色）の網糸で編網される部分を更に追加して、繊維ネットを展張する際の目印としても良い。
【００６１】
更に、上記各実施例において、使用する網糸の色、太さ若しくは本数、網目の大きさや形状により、繊維ネットの間隔を一目で認知できるように構成しても良い。例えば、網糸の色により区別する場合には、識別色部分のオレンジは略２ｍ間隔に、赤は略１０ｍ間隔に、白は略３０ｍ間隔に、・・・などというように、網糸の色と繊維ネットの間隔を予め対応付けておくのである。これにより、網糸の色により繊維ネットの間隔を一目で認識することができるのである。
【００６２】
また、図４（ａ）の侵入防止柵３１に用いられる繊維ネット３２のように、各網目に横糸３３を設けて、かかる横糸３３により繊維ネット３２の長さ方向（図４（ａ）の左右方向）の張り具合を調整するようにしても良い。即ち、横糸３３がピンと張られた状態が繊維ネット３１の最適な張り具合となるように横糸３３の長さを規定し配設する。展張作業時には、かかる横糸３３がピンと張った状態になるまで繊維ネット３１を長さ方向に引っ張り展張することにより、繊維ネット３１を最適な張り具合で展張することができる。
【００６３】
なお、かかる横糸３３は、図４（ａ）の繊維ネット３１に示すように、必ずしもすべての網目に設ける必要はなく、例えば、図４（ｂ）の侵入防止柵４１に用いられる繊維ネット４２のように、繊維ネット４２の上下に１本ずつ横糸３３を設けるようにしても良い。また、長さ向の所定間隔Ｐ毎に、各網目に縦糸３４を設け、かかる縦糸３４により、繊維ネット４２の幅方向（図４（ａ）の上下方向）の張り具合を調整するようにしても良い。横糸３３及び縦糸３４の配設本数、位置及び間隔は、図４（ａ）（ｂ）に限定されるものではなく、適宜変更することは当然に可能である。
【００６４】
【発明の効果】
本発明の繊維ネットによれば、基本部分と異なる態様に構成された識別部分が一の方向へ等間隔に配設されている。よって、繊維ネットを支柱間などに展張する場合には、一の方向へ引っ張られた繊維ネットの張り具合を識別部分の間隔から正確に把握することができるという効果がある。その結果、繊維ネットを支柱間などへ最適な状態の張り具合で展張することができ、繊維ネットが備える性能を充分に発揮させることができる。
【００６５】
また、識別部分は、一の方向と略直交する方向へも第２の等間隔で配設されている。よって、繊維ネットを支柱間などに展張する場合には、一の方向への張り具合だけでなく、その一の方向と略直交する他の方向への張り具合も識別部分の間隔から正確に把握することができるという効果がある。その結果、繊維ネットを支柱間などへ最適な状態の張り具合で展張することができ、繊維ネットが備える性能を十分に発揮させることができる。
【００６６】
更に、繊維ネットは、識別部分よりも大きな間隔（第３の等間隔）で配設される第２識別部分を備えている。よって、第２識別部分の間隔や配設個数を計測することにより繊維ネットの張り具合や長さをより容易に把握することができるという効果がある。例えば、識別部分が１ｍの等間隔に配設された繊維ネットを５ｍの長さに切断する場合には、５つめの識別部分を切断すればよい。しかし、繊維ネットを３０ｍの長さに切断するといった場合には、識別部分の配設個数を計数するのは非常に煩雑な作業となる。そこで、第２識別部分を５ｍの等間隔に配設しておけば、計数作業がより簡便になり、数え間違いも防止することができるのである。
【００６７】
識別部分または第２識別部分を、基本部分の網糸と異なる色の網糸で編網し、その基本部分と色分けされた異なる態様に構成することにより、繊維ネットを展張する作業者は一目で識別部分または第２識別部分の間隔を把握することができるという効果がある。その結果、繊維ネットの展張作業の作業効率を向上させることができる。なお、識別部分または第２識別部分は、基本部分の網糸と異なる色の網糸だけで編網しても良く、或いは、基本部分の網糸と異なる色の網糸とを合糸して編網しても良い。
【００６８】
また、識別部分または第２識別部分を、基本部分の網糸と異なる太さの網糸で編網し、基本部分の網糸と異なる本数の網糸で編網し、基本部分と異なる大きさの網目で編網し、或いは、基本部分と異なる形状の網目で編網し、その基本部分と異なる態様に構成することにより、繊維ネット全体を同じ色で編網することができるので、繊維ネットの外観が損なわれることを防止することができるという効果がある。なお、網糸の色を含め、網糸の太さ若しくは本数、または、網目の大きさ若しくは形状を組み合わせて、識別部分または第２識別部分を構成するようにしても良い。
【図面の簡単な説明】
【図１】  本発明の第１実施例における繊維ネットが展張された侵入防止柵の正面図である。
【図２】  本発明の第２実施例における繊維ネットが展張された防球フェンスの正面図である。
【図３】  （ａ）は、本発明の第３実施例における繊維ネットが展張された侵入防止柵の正面図であり、（ｂ）は、領域ｂにおける繊維ネットの部分拡大図であり、（ｃ）は、領域ｃにおける繊維ネットの部分拡大図である。
【図４】  （ａ）は、第４実施例の繊維ネットが展張された侵入防止柵の正面図であり、（ｂ）は、第５実施例の繊維ネットが展張された侵入防止柵の正面図である。
【符号の説明】
１，２１，３１，４１            侵入防止柵
２，１２，２２，３２，４２      繊維ネット
３                              支柱
４，１４                        基本色部分（基本部分）
５，１５                        識別色部分（識別部分）
１３                            枠部材
２４                            基本網目部分（基本部分）
２５                            識別網目部分（識別部分）
２６                            第２識別網目部分（第２識別部分）
【図１】
0003868225.tif 000002
【図２】
0003868225.tif 000003
【図３】
0003868225.tif 000004
【図４】
0003868225.tif 000005